(57)【要約】【課題】ネットワーク上の情報を自動的に取得して表示させる情報映像化装置を提供する。【解決手段】情報映像化装置は、番組管理部１４が番組コンテンツ生成規則であるビデオプログラムリストを受け付け、ビデオプログラムリストに基づいて送受信部１３がネットワーク１上のコンテンツを送信元から入力し、サイト解釈部１５がサイト情報を解釈して必要な情報を付加する。レイアウト解釈部１６が入力したコンテンツの表示レイアウトおよびビデオ化形態を定義するビデオレイアウトビヘイビアパラメータを受け付け、ビデオレイアウトビヘイビアパラメータに基づいて映像生成部１７が入力したコンテンツから映像を生成し、映像合成部１８が映像を合成してディスプレーに表示させる。【選択図】        図３
2005236851.tif 000002
【特許請求の範囲】
【請求項１】
映像および音声を含む放送コンテンツ、ならびにＷｅｂサイトのコンテンツを含むネットワーク上のコンテンツから番組コンテンツを生成し表示手段に表示させる情報映像化装置であって、
前記番組コンテンツを生成する規則である番組定義情報を受け付ける番組受付手段と、
前記番組受付手段によって受け付けられた番組定義情報に基づいて、前記ネットワーク上のコンテンツを前記コンテンツの送信元から入力する情報入力手段と、
前記情報入力手段が入力したコンテンツを、前記表示手段に表示する表示レイアウトおよび前記表示レイアウトにおけるビデオ化形態を定義する表示定義情報を受け付ける表示受付手段と、
前記表示受付手段に受け付けられた前記表示定義情報に基づいて、該入力したコンテンツを、前記表示手段に表示させる表示制御手段と、
を備えたことを特徴とする情報映像化装置。
【請求項２】
前記表示受付手段は、前記情報入力手段が前記送信元にアクセスして前記送信元における前記コンテンツが更新されていた場合、該更新されたコンテンツを入力するように定義された表示定義情報を受け付けるものであり、
前記情報入力手段は、前記表示受付手段が受け付けた前記表示定義情報に基づいて、前記送信元から前記更新されたコンテンツを入力し、
前記表示制御手段は、前記更新されたコンテンツを前記表示定義情報に基づいて前記表示手段に表示させるものであることを特徴とする請求項１に記載の情報映像化装置。
【請求項３】
前記表示受付手段は、前記情報入力手段が前記送信元に所定の時間間隔でアクセスし、該アクセス先のコンテンツが更新されていた場合は該更新されたコンテンツを入力するよう定義された表示定義情報を受け付けるものであることを特徴とする請求項２に記載の情報映像化装置。
【請求項４】
前記表示受付手段は、前記表示手段の表示画面を時系列的に複数の領域に分割し該分割された複数の領域における表示レイアウトおよび前記表示レイアウトにおけるビデオ化形態を定義する表示定義情報を受け付けるものであり、
前記表示制御手段は、前記表示定義情報に基づいて、前記表示手段の該時系列的に分割する複数の領域に、それぞれ表示させるものであることを特徴とする請求項１〜３のいずれか１つに記載の情報映像化装置。
【請求項５】
前記表示受付手段は、前記分割された複数の領域における前記表示レイアウトおよび前記ビデオ化形態を時系列的に変化させる表示定義情報を受け付けるものであり、
前記表示制御手段は、前記複数の領域に対して、前記表示定義情報に基づいて、それぞれ時系列的に変化させて表示させるものであることを特徴とする請求項４に記載の情報映像化装置。
【請求項６】
前記表示受付手段は、前記分割された複数の領域の少なくとも１つの領域において、前記情報入力手段が前記送信元にアクセスし前記送信元において当該領域における前記コンテンツが更新されていた場合、前記情報入力手段が該更新されたコンテンツを入力する表示定義情報を受け付けるものであることを特徴とする請求項５に記載の情報映像化装置。
【請求項７】
前記番組受付手段が受け付ける前記番組定義情報は、前記情報入力手段がアクセスする前記送信元の情報を記述する番組定義ファイルによるものであり、
前記表示受付手段が受け付ける前記表示定義情報は、前記表示手段の表示画面を複数の領域に分割する規則および該分割された領域において前記情報入力手段がアクセスする送信元の情報を記述する表示定義ファイルによるものであることを特徴とする請求項１に記載の情報映像化装置。
【請求項８】
前記表示受付手段が受け付ける前記表示定義情報は、前記表示手段の表示画面における複数の領域それぞれの表示レイアウトおよびビデオ化の形態を定義する表示定義ファイルによるものであることを特徴とする請求項７に記載の情報映像化装置。
【請求項９】
前記表示受付手段が受け付ける前記表示定義情報は、前記情報入力手段がアクセスする前記送信元のＷｅｂサイトから、既存のＨＴＭＬ表記に加えて前記ＨＴＭＬ表記におけるタグの属性として映像情報を指示する指示情報が付加されて読み込まれた表示定義ファイルによるものであることを特徴とする請求項８に記載の情報映像化装置。
【請求項１０】
前記表示受付手段が読み込んだ前記表示定義ファイルに、前記指示情報が付加されていない場合、
前記表示受付手段は、既存のＨＴＭＬのタグの内容を解釈し、文書構成を判断して表示定義ファイルを更新するものであることを特徴とする請求項９に記載の情報映像化装置。
【請求項１１】
前記表示受付手段は、前記読み込んだ前記表示定義ファイルに記述された見出しおよび本文を含む構成についての情報、ならびに文書、画像、映像、および音声を含む情報を判断して分類し、前記指示情報を前記読み込んだ表示定義ファイルに付加するものであることを特徴とする請求項９または１０に記載の情報映像化装置。
【請求項１２】
前記表示受付手段は、受け付ける前記表示定義情報に基づいて前記表示レイアウトおよびビデオ化形態に関する映像再生時間情報を取得するものであることを特徴とする請求項１〜１１のいずれか１つに記載の情報映像化装置。
【請求項１３】
前記番組受付手段が受け付けた前記番組定義情報および前記表示受付手段が受け付けた前記表示定義情報を記憶する記憶手段を、さらに備えることを特徴とする請求項１〜１２のいずれか１つに記載の情報映像化装置。
【請求項１４】
前記表示手段の表示画面に表示されるコンテンツの前記送信元であるＷｅｂサイト情報を含む前記送信元からの情報を、近距離無線により送信する送信手段を、さらに備えたことを特徴とする請求項１〜１３のいずれか１つに記載の情報映像化装置。
【請求項１５】
映像および音声を含む放送コンテンツ、ならびにＷｅｂサイトのコンテンツを含むネットワーク上のコンテンツから番組コンテンツを生成し表示する情報映像化方法であって、
前記番組コンテンツを生成する規則である番組定義情報を受け付ける番組受付工程と、
前記番組受付工程によって受け付けられた番組定義情報に基づいて、前記ネットワーク上のコンテンツを前記コンテンツの送信元から入力する情報入力工程と、
前記情報入力工程が入力したコンテンツを表示する表示レイアウト、および前記表示レイアウトにおけるビデオ化形態を定義する表示定義情報を受け付ける表示受付工程と、
前記表示受付工程で受け付けられた前記表示定義情報に基づいて、該入力したコンテンツを表示させる表示制御工程と、
を含むことを特徴とする情報映像化方法。
【請求項１６】
前記表示受付工程は、前記情報入力工程において前記送信元にアクセスして前記送信元における前記コンテンツが更新されていた場合、該更新されたコンテンツを入力するように定義された表示定義情報を受け付けるものであり、
前記情報入力工程は、前記表示受付工程で受け付けられた前記表示定義情報に基づいて、前記送信元から前記更新されたコンテンツを入力し、
前記表示制御工程は、前記情報入力工程において入力する前記更新されたコンテンツを前記表示定義情報に基づいて表示させるものであることを特徴とする請求項１５に記載の情報映像化方法。
【請求項１７】
前記表示受付工程は、前記情報入力工程において前記送信元に所定の時間間隔でアクセスして該アクセス先のコンテンツが更新されていた場合、該更新されたコンテンツを入力するよう定義された表示定義情報を受け付けるものであることを特徴とする請求項１６に記載の情報映像化方法。
【請求項１８】
前記表示受付工程は、表示における画面を時系列的に複数の領域に分割し該分割された複数の領域における表示レイアウトおよび前記表示レイアウトにおけるビデオ化形態を定義する表示定義情報を受け付けるものであり、
前記表示制御工程は、受け付けられた前記表示定義情報に基づいて、該時系列的に分割する複数の表示領域に、それぞれ表示させるものであることを特徴とする請求項１５〜１７のいずれか１つに記載の情報映像化方法。
【請求項１９】
前記表示受付工程は、前記分割された複数の表示領域における前記表示レイアウトおよび前記ビデオ化形態を時系列的に変化させる表示定義情報を受け付けるものであり、
前記表示制御工程は、前記複数の表示領域に対して、受け付けられた前記表示定義情報に基づいて、それぞれ時系列的に変化させて表示させるものであることを特徴とする請求項１８に記載の情報映像化方法。
【請求項２０】
前記表示受付工程は、前記分割された複数の表示領域の少なくとも１つの領域において、前記情報入力工程において前記送信元にアクセスして当該領域における前記コンテンツが更新されていた場合、前記情報入力工程において該更新されたコンテンツを入力する表示定義情報を受け付けるものであることを特徴とする請求項１９に記載の情報映像化方法。
【請求項２１】
前記表示受付工程は、前記表示定義情報に基づいて前記表示レイアウトおよびビデオ化形態に関する映像再生時間情報を取得するものであることを特徴とする請求項１５〜２０のいずれか１つに記載の情報映像化方法。
【請求項２２】
前記番組受付工程において受け付けられた前記番組定義情報および前記表示受付工程において受け付けられた前記表示定義情報を記憶する記憶工程を、さらに含むことを特徴とする請求項１５〜２１のいずれか１つに記載の情報映像化方法。
【請求項２３】
表示される前記コンテンツの前記送信元であるＷｅｂサイト情報を含む送信元からの情報を、近距離無線により送信する送信工程を、さらに含むことを特徴とする請求項１５〜２２のいずれか１つに記載の情報映像化方法。
【請求項２４】
請求項１５〜２３のいずれか１つに記載の情報映像化方法をコンピュータに実行させることを特徴とするプログラム。
【請求項２５】
映像および音声を含む放送コンテンツ、ならびにＷｅｂサイトのコンテンツを含むネットワーク上のコンテンツから番組コンテンツを生成して表示させる前記ネットワークに接続する情報映像化システムであって、
前記コンテンツを送信する送信装置と、
生成された前記番組コンテンツを表示する表示装置と、
表示される前記番組コンテンツを生成する規則である番組定義情報を受け付ける番組受付装置と、
前記番組受付装置によって受け付けられた番組定義情報に基づいて、前記ネットワーク上のコンテンツを前記送信装置から入力する情報入力装置と、
前記情報入力装置が入力したコンテンツを、前記表示装置に表示する表示レイアウトおよび前記表示レイアウトにおけるビデオ化形態を定義する表示定義情報を受け付ける表示受付装置と、
前記表示受付装置に受け付けられた前記表示定義情報に基づいて、該入力したコンテンツを、前記表示装置に表示させる表示制御装置と、
を備えたことを特徴とする情報映像化システム。
【発明の詳細な説明】
【技術分野】
【０００１】
本発明は、放送コンテンツおよびＷｅｂサイトのインターネットコンテンツを含むコンテンツを受信し映像化する情報映像化装置、情報映像化方法、その方法をコンピュータに実行させるプログラム、および情報映像化システムに関するものである。
【背景技術】
【０００２】
インターネット上でのホームページの閲覧は、基本的に個人がＰＣ（Ｐｅｒｓｏｎａｌ  Ｃｏｍｐｕｔｅｒ）を使用して見たいホームページにアクセスするので、インタラクティブ（双方向的）な操作を必要とする。インターネットでのホームページの閲覧は、１対個人の操作には適してはいるものの、１対多のマスメディア的な閲覧には適さないものである。例えば、インターネットでのホームページ閲覧は、駅や病院の待合所等において多数の人がテレビを視聴するような１対多の視聴スタイルには不向きであった。
【０００３】
そのため、インターネット上のＷｅｂコンテンツも、基本的に１対１のコンテンツとして生成されていた。従って、インターネットでのホームページ上のコンテンツは、そのままでは、ホームページのコンテンツを表示して視聴者が受動的に視聴する１対多のための映像としては不向きである。ホームページのコンテンツは、もともと１対１の閲覧を目的としたコンテンツであるため、１対多の視聴形式で表示するには、１対多の視聴に適した何らかの映像化方式が必要だった。
【０００４】
また、インターネットの利用者においては、通常はＰＣ等を使用した通常の対話型の情報享受の他にも、状況によっては例えば、ＴＶニュースや一般のＴＶ番組を視聴するように受動的な閲覧をしたい場合も生じる。
【０００５】
このような１対多の視聴形態のニーズに応えるために、インターネットを介して広告装置に表示する広告の内容を変更する技術が考案されている。例えば、インターネット接続された広告用のディスプレー装置に対して、携帯型電話機によって表示内容を制御する技術が発明されている（特許文献１）。この特許文献１の技術によると、広告用のディスプレー装置に対して、携帯型電話機を使用して、メインコンピュータに蓄積された広告内容を表示させることができるものである。
【０００６】
【特許文献１】特開２００２−３２６５８号公報
【発明の開示】
【発明が解決しようとする課題】
【０００７】
しかしながら、特許文献１の技術においては、携帯型電話機の操作によって、既に生成した広告内容を、インターネットを介してディスプレー装置に表示させることはできるが、Ｗｅｂ上のコンテンツを自動的に検索してダウンロードし、映像を自動的に変化させることはできなかった。
【０００８】
また、一般的にインターネット上の映像以外の映像情報は、インターネットコンテンツとは別に作成される場合が多く、しかも作成にかかるコストは一般に人件費等がかさみ、非常に高くつくものである。しかし、映像情報をインターネット上のホームページを検索してアクセスし、コンテンツをダウンロードして自動的に映像化できれば、作成コストは大きく削減でき、しかも、映像内容も豊富になると予想される。
【０００９】
本発明は上記の問題に鑑みてなされ、Ｗｅｂサイトのインターネットコンテンツを含むコンテンツを受信し映像化する情報映像化装置、情報映像化方法、その方法をコンピュータに実行させるプログラム、および情報映像化システムを提供することを目的とする。
【課題を解決するための手段】
【００１０】
上述した課題を解決し、目的を達成するために、請求項１にかかる発明は、映像および音声を含む放送コンテンツ、ならびにＷｅｂサイトのコンテンツを含むネットワーク上のコンテンツから番組コンテンツを生成し表示手段に表示させる情報映像化装置であって、前記番組コンテンツを生成する規則である番組定義情報を受け付ける番組受付手段と、前記番組受付手段によって受け付けられた番組定義情報に基づいて、前記ネットワーク上のコンテンツを前記コンテンツの送信元から入力する情報入力手段と、前記情報入力手段が入力したコンテンツを、前記表示手段に表示する表示レイアウトおよび前記表示レイアウトにおけるビデオ化形態を定義する表示定義情報を受け付ける表示受付手段と、前記表示受付手段に受け付けられた前記表示定義情報に基づいて、該入力したコンテンツを、前記表示手段に表示させる表示制御手段と、を備えたことを特徴とする。
【００１１】
この請求項１にかかる発明によれば、番組受付手段が番組コンテンツを生成する規則である番組定義情報を受け付け、受け付けられた番組定義情報に基づいて情報入力手段がネットワーク上のコンテンツを送信元から入力し、表示受付手段が入力したコンテンツを表示する表示レイアウトおよび表示レイアウトにおけるビデオ化形態を定義する表示定義情報を受け付け、表示定義情報に基づいて表示制御手段が入力したコンテンツを表示手段に表示させる。この構成によって、番組定義情報と表示定義情報に基づいて番組コンテンツを生成して表示手段に表示させることができるので、Ｗｅｂサイトのコンテンツおよび放送コンテンツを含むコンテンツを自動的に番組コンテンツとして表示手段に表示させる情報映像化装置を提供できる。また、番組映像としてインターネット上の映像を含むコンテンツをダウンロードして使用するので、表示する番組映像を豊富なものとし、かつ番組映像のコストを削減できる。
【００１２】
また、請求項２にかかる発明は、請求項１に記載の情報映像化装置において、前記表示受付手段は、前記情報入力手段が前記送信元にアクセスして前記送信元における前記コンテンツが更新されていた場合、該更新されたコンテンツを入力するように定義された表示定義情報を受け付けるものであり、前記情報入力手段は、前記表示受付手段が受け付けた前記表示定義情報に基づいて、前記送信元から前記更新されたコンテンツを入力し、前記表示制御手段は、前記更新されたコンテンツを前記表示定義情報に基づいて前記表示手段に表示させるものであることを特徴とする。
【００１３】
この請求項２にかかる発明によれば、表示受付手段は、情報入力手段が送信元にアクセスして送信元におけるコンテンツが更新されていた場合更新されたコンテンツを入力し、表示制御手段は、更新されたコンテンツを表示手段に表示させる。この構成によって、送信元のコンテンツが更新されている場合は、更新されたコンテンツを入力し、番組コンテンツを自動的に更新するので、自動的にコンテンツを更新して表示手段に表示させる情報映像化装置を提供できる。
【００１４】
また、請求項３にかかる発明は、請求項２に記載の情報映像化装置において、前記表示受付手段は、前記情報入力手段が前記送信元に所定の時間間隔でアクセスし、該アクセス先のコンテンツが更新されていた場合は該更新されたコンテンツを入力するよう定義された表示定義情報を受け付けるものであることを特徴とする。
【００１５】
この請求項３にかかる発明によれば、情報入力手段が送信元に所定の時間間隔でアクセスし、該アクセス先のコンテンツが更新されていた場合は該更新されたコンテンツを入力する。この構成によって、所定の時間間隔でアクセスして送信元のコンテンツが更新されている場合は更新して入力するので、常に最新のコンテンツを入力して番組コンテンツを自動的に更新するので、自動的に更新して最新のコンテンツを表示手段に表示させる情報映像化装置を提供できる。
【００１６】
また、請求項４にかかる発明は、請求項１〜３のいずれか１つに記載の情報映像化装置において、前記表示受付手段は、前記表示手段の表示画面を時系列的に複数の領域に分割し該分割された複数の領域における表示レイアウトおよび前記表示レイアウトにおけるビデオ化形態を定義する表示定義情報を受け付けるものであり、前記表示制御手段は、前記表示定義情報に基づいて、前記表示手段の該時系列的に分割する複数の領域に、それぞれ表示させるものであることを特徴とする。
【００１７】
この請求項４にかかる発明によれば、表示手段の表示画面を時系列的に複数の領域に分割し該分割された複数の領域における表示レイアウトおよび表示レイアウトにおけるビデオ化形態を定義し、表示手段において該時系列的に分割される複数の領域に、それぞれ表示定義情報に基づいて表示される。この構成によって、表示画面を時系列的に複数に分割してそれぞれレイアウトと形態を変化させるので、複数の領域において時系列的に自動的に番組コンテンツを表示手段に表示させる情報映像化装置を提供できる。
【００１８】
また、請求項５にかかる発明は、請求項４に記載の情報映像化装置において、前記表示受付手段は、前記分割された複数の領域における前記表示レイアウトおよび前記ビデオ化形態を時系列的に変化させる表示定義情報を受け付けるものであり、前記表示制御手段は、前記複数の領域に対して、前記表示定義情報に基づいて、それぞれ時系列的に変化させて表示させるものであることを特徴とする。
【００１９】
この請求項５にかかる発明によれば、分割された複数の領域における表示レイアウトおよびビデオ化形態を時系列的に変化させて、複数の領域にそれぞれ時系列的に変化させて表示させる。この構成によって、表示画面を複数に分割してそれぞれレイアウトと形態を時系列的に変化させるので、複数の領域において自動的に時系列的に番組コンテンツを表示手段に表示させる情報映像化装置を提供できる。
【００２０】
また、請求項６にかかる発明は、請求項５に記載の情報映像化装置において、前記表示受付手段は、前記分割された複数の領域の少なくとも１つの領域において、前記情報入力手段が前記送信元にアクセスし前記送信元において当該領域における前記コンテンツが更新されていた場合、前記情報入力手段が該更新されたコンテンツを入力する表示定義情報を受け付けるものであることを特徴とする。
【００２１】
この請求項６にかかる発明によれば、分割された複数の領域の少なくとも１つの領域において、送信元にアクセスし送信元においてコンテンツが更新されていた場合、更新されたコンテンツを入力する。この構成によって、分割された少なくとも１つの領域において、送信元のコンテンツが更新された場合、更新されたコンテンツを入力するので、該分割された領域において更新された番組コンテンツを表示手段に表示させる情報映像化装置を提供できる。
【００２２】
また、請求項７にかかる発明は、請求項１に記載の情報映像化装置において、前記番組受付手段が受け付ける前記番組定義情報は、前記情報入力手段がアクセスする前記送信元の情報を記述する番組定義ファイルによるものであり、前記表示受付手段が受け付ける前記表示定義情報は、前記表示手段の表示画面を複数の領域に分割する規則および該分割された領域において前記情報入力手段がアクセスする送信元の情報を記述する表示定義ファイルによるものであることを特徴とする。
【００２３】
この請求項７にかかる発明によれば、番組受付手段は、番組定義情報として送信元の情報を記述する番組定義ファイルを受け付け、表示受付手段は、表示定義情報として表示画面を複数の領域に分割する規則および該分割された領域においてアクセスする送信元の情報を記述する表示定義ファイルを受け付ける。この構成によって、表示するコンテンツの番組および形態を定義したファイル形式で読み込ませることができるので、番組内容および表示形態の自由度が大きい番組コンテンツを表示手段に表示させる情報映像化装置を提供できる。
【００２４】
また、請求項８にかかる発明は、請求項７に記載の情報映像化装置において、前記表示受付手段が受け付ける前記表示定義情報は、前記表示手段の表示画面における複数の領域それぞれの表示レイアウトおよびビデオ化の形態を定義する表示定義ファイルによるものであることを特徴とする。
【００２５】
この請求項８にかかる発明によれば、表示受付手段が受け付ける表示定義情報は、表示手段の表示画面における複数の領域それぞれの表示レイアウトおよびビデオ化の形態を定義する表示定義ファイルである。この構成によって、表示画面の複数の領域において、表示するコンテンツの形態を定義したファイル形式で読み込ませることができるので、分割された領域においても番組内容および表示形態の自由度が大きい番組コンテンツを表示手段に表示させる情報映像化装置を提供できる。
【００２６】
また、請求項９にかかる発明は、請求項８に記載の情報映像化装置において、前記表示受付手段が受け付ける前記表示定義情報は、前記情報入力手段がアクセスする前記送信元のＷｅｂサイトから、既存のＨＴＭＬ表記に加えて前記ＨＴＭＬ表記におけるタグの属性として映像情報を指示する指示情報が付加されて読み込まれた表示定義ファイルによるものであることを特徴とする。
【００２７】
この請求項９にかかる発明によれば、表示受付手段が受け付ける表示定義情報は、情報入力手段がアクセスする送信元のＷｅｂサイトから、既存のＨＴＭＬ表記に加えてＨＴＭＬ表記におけるタグの属性として映像情報を指示する指示情報が付加されて読み込まれた表示定義ファイルである。この構成によって、指示情報が付加され、通常のＨＴＭＬファイルによる記述よりも精確にビデオ表示の挙動を記述できるので、番組内容および表示形態の自由度が大きく精確な番組コンテンツを表示手段に表示させる情報映像化装置を提供できる。
【００２８】
また、請求項１０にかかる発明は、請求項９に記載の情報映像化装置において、前記表示受付手段が読み込んだ前記表示定義ファイルに、前記指示情報が付加されていない場合、前記表示受付手段は、既存のＨＴＭＬのタグの内容を解釈し、文書構成を判断して前記指示情報を付加して前記表示定義ファイルを更新するものであることを特徴とする。
【００２９】
この請求項１０にかかる発明によれば、表示受付手段が読み込んだ表示定義ファイルに、指示情報が付加されていない場合、表示受付手段は、既存のＨＴＭＬのタグの内容を解釈し、文書構成を判断して前記指示情報を付加して前記表示定義ファイルを更新する。この構成によって、送信元のＨＴＭＬファイルに指示情報が付加されていない場合は付加することにより、より精確にビデオ表示の挙動を記述できるので、番組内容および表示形態の自由度が大きく精確な番組コンテンツを表示手段に表示させる情報映像化装置を提供できる。
【００３０】
また、請求項１１にかかる発明は、請求項９または１０に記載の情報映像化装置において、前記表示受付手段は、前記読み込んだ前記表示定義ファイルに記述された見出しおよび本文を含む構成についての情報、ならびに文書、画像、映像、および音声を含む情報を判断して分類し、前記指示情報を前記読み込んだ表示定義ファイルに付加するものであることを特徴とする。
【００３１】
この請求項１１にかかる発明によれば、表示受付手段は、読み込んだ表示定義ファイルに記述された見出しおよび本文を含む構成についての情報、ならびに文書、画像、映像、および音声を含む情報を判断して分類し、指示情報を読み込んだ表示定義ファイルに付加する。この構成によって、読み込んだファイル内容を分類し、指示情報を付加することにより、より精確にビデオ表示の挙動を記述できるので、番組内容および表示形態の自由度が大きく精確な番組コンテンツを表示手段に表示させる情報映像化装置を提供できる。
【００３２】
また、請求項１２にかかる発明は、請求項１〜１１のいずれか１つに記載の情報映像化装置において、前記表示受付手段は、受け付ける前記表示定義情報に基づいて前記表示レイアウトおよびビデオ化形態に関する映像再生時間情報を取得するものであることを特徴とする。
【００３３】
この請求項１２にかかる発明によれば、表示受付手段は、受け付ける表示定義情報に基づいて表示レイアウトおよびビデオ化形態に関する映像再生時間情報を取得する。この構成によって、表示定義情報から再生時間情報を取得して自動的に映像を再生させることが可能な番組コンテンツを表示手段に表示させる情報映像化装置を提供できる。
【００３４】
また、請求項１３にかかる発明は、請求項１〜１２のいずれか１つに記載の情報映像化装置において、前記番組受付手段が受け付けた前記番組定義情報および前記表示受付手段が受け付けた前記表示定義情報を記憶する記憶手段を、さらに備えることを特徴とする。
【００３５】
この請求項１３にかかる発明によれば、番組受付手段が受け付けた番組定義情報および表示受付手段が受け付けた表示定義情報を記憶する記憶手段を、さらに備える。この構成によって、記憶された番組定義情報および表示定義情報によって、同一の映像を自動的に再生させることが可能な番組コンテンツを表示手段に表示させる情報映像化装置を提供できる。
【００３６】
また、請求項１４にかかる発明は、請求項１〜１３のいずれか１つに記載の情報映像化装置において、前記表示手段の表示画面に表示されるコンテンツの前記送信元であるＷｅｂサイト情報を含む前記送信元からの情報を、近距離無線により送信する送信手段を、さらに備えたことを特徴とする。
【００３７】
この請求項１４にかかる発明によれば、表示手段の表示画面に表示されるコンテンツの送信元であるＷｅｂサイト情報を含む送信元からの情報を、近距離無線により送信する送信手段を、さらに備えた。この構成によって、表示された画面を見る視聴者の携帯端末などに対して送信元からの情報を無線で受信させることができる情報映像化装置を提供できる。
【００３８】
また、請求項１５にかかる発明は、映像および音声を含む放送コンテンツ、ならびにＷｅｂサイトのコンテンツを含むネットワーク上のコンテンツから番組コンテンツを生成し表示する情報映像化方法であって、前記番組コンテンツを生成する規則である番組定義情報を受け付ける番組受付工程と、前記番組受付工程によって受け付けられた番組定義情報に基づいて、前記ネットワーク上のコンテンツを前記コンテンツの送信元から入力する情報入力工程と、前記情報入力工程が入力したコンテンツを表示する表示レイアウト、および前記表示レイアウトにおけるビデオ化形態を定義する表示定義情報を受け付ける表示受付工程と、前記表示受付工程で受け付けられた前記表示定義情報に基づいて、該入力したコンテンツを表示させる表示制御工程と、を含むことを特徴とする。
【００３９】
この請求項１５にかかる発明によれば、番組受付工程において番組コンテンツを生成する規則である番組定義情報を受け付け、情報入力工程において番組定義情報に基づいてネットワーク上のコンテンツをコンテンツの送信元から入力し、表示受付工程においてコンテンツを表示する表示レイアウト、および表示レイアウトにおけるビデオ化形態を定義する表示定義情報を受け付け、表示制御工程において表示定義情報に基づいて該入力したコンテンツを表示させる。この構成によって、番組定義情報と表示定義情報に基づいて番組コンテンツを生成して表示させることができるので、Ｗｅｂサイトのコンテンツおよび放送コンテンツを含むコンテンツを自動的に番組コンテンツとして表示させる情報映像化方法を提供できる。また、番組映像としてインターネット上の映像を含むコンテンツをダウンロードして使用するので、表示する番組映像を豊富なものとし、かつ番組映像のコストを削減できる。
【００４０】
また、請求項１６にかかる発明は、請求項１５に記載の情報映像化方法において、前記表示受付工程は、前記情報入力工程において前記送信元にアクセスして前記送信元における前記コンテンツが更新されていた場合、該更新されたコンテンツを入力するように定義された表示定義情報を受け付けるものであり、前記情報入力工程は、前記表示受付工程で受け付けられた前記表示定義情報に基づいて、前記送信元から前記更新されたコンテンツを入力し、前記表示制御工程は、前記情報入力工程において入力する前記更新されたコンテンツを前記表示定義情報に基づいて表示させるものであることを特徴とする。
【００４１】
この請求項１６にかかる発明によれば、表示受付工程は、情報入力工程において送信元にアクセスして送信元におけるコンテンツが更新されていた場合、該更新されたコンテンツを入力するように定義された表示定義情報を受け付け、情報入力工程は、受け付けられた表示定義情報に基づいて、送信元から更新されたコンテンツを入力し、表示制御工程は、更新されたコンテンツを表示定義情報に基づいて表示させる。この構成によって、送信元のコンテンツが更新されている場合は、更新されたコンテンツを入力し、番組コンテンツを自動的に更新するので、自動的にコンテンツを更新して表示させる情報映像化方法を提供できる。
【００４２】
また、請求項１７にかかる発明は、請求項１６に記載の情報映像化方法において、前記表示受付工程は、前記情報入力工程において前記送信元に所定の時間間隔でアクセスして該アクセス先のコンテンツが更新されていた場合、該更新されたコンテンツを入力するよう定義された表示定義情報を受け付けるものであることを特徴とする。
【００４３】
この請求項１７にかかる発明によれば、表示受付工程は、情報入力工程において送信元に所定の時間間隔でアクセスして該アクセス先のコンテンツが更新されていた場合、該更新されたコンテンツを入力するよう定義された表示定義情報を受け付ける。この構成によって、所定の時間間隔でアクセスして送信元のコンテンツが更新されている場合は更新して入力するので、常に最新のコンテンツを入力して番組コンテンツを自動的に更新するので、自動的に更新して最新のコンテンツを表示させる情報映像化方法を提供できる。
【００４４】
また、請求項１８にかかる発明は、請求項１５〜１７のいずれか１つに記載の情報映像化方法において、前記表示受付工程は、表示における画面を時系列的に複数の領域に分割し該分割された複数の領域における表示レイアウトおよび前記表示レイアウトにおけるビデオ化形態を定義する表示定義情報を受け付けるものであり、前記表示制御工程は、受け付けられた前記表示定義情報に基づいて、該時系列的に分割する複数の表示領域に、それぞれ表示させるものであることを特徴とする。
【００４５】
この請求項１８にかかる発明によれば、表示受付工程は、表示における画面を時系列的に複数の領域に分割し該分割された複数の領域における表示レイアウトおよび表示レイアウトにおけるビデオ化形態を定義する表示定義情報を受け付け、表示制御工程は、表示定義情報に基づいて、該時系列的に分割する複数の表示領域に、それぞれ表示させる。この構成によって、表示画面を時系列的に複数に分割してそれぞれレイアウトと形態を変化させるので、複数の領域において時系列的に自動的に番組コンテンツを表示させる情報映像化方法を提供できる。
【００４６】
また、請求項１９にかかる発明は、請求項１８に記載の情報映像化方法において、前記表示受付工程は、前記分割された複数の表示領域における前記表示レイアウトおよび前記ビデオ化形態を時系列的に変化させる表示定義情報を受け付けるものであり、前記表示制御工程は、前記複数の表示領域に対して、受け付けられた前記表示定義情報に基づいて、それぞれ時系列的に変化させて表示させるものであることを特徴とする。
【００４７】
この請求項１９にかかる発明によれば、表示受付工程は、分割された複数の表示領域における表示レイアウトおよびビデオ化形態を時系列的に変化させる表示定義情報を受け付け、表示制御工程は、複数の表示領域に対して、受け付けられた表示定義情報に基づいて、それぞれ時系列的に変化させて表示させる。この構成によって、表示画面を複数に分割してそれぞれレイアウトと形態を時系列的に変化させるので、複数の領域において自動的に時系列的に番組コンテンツを表示させる情報映像化方法を提供できる。
【００４８】
また、請求項２０にかかる発明は、請求項１９に記載の情報映像化方法において、前記表示受付工程は、前記分割された複数の表示領域の少なくとも１つの領域において、前記情報入力工程において前記送信元にアクセスして当該領域における前記コンテンツが更新されていた場合、前記情報入力工程において該更新されたコンテンツを入力する表示定義情報を受け付けるものであることを特徴とする。
【００４９】
この請求項２０にかかる発明によれば、表示受付工程は、分割された複数の表示領域の少なくとも１つの領域において、情報入力工程において送信元にアクセスして当該領域におけるコンテンツが更新されていた場合、情報入力工程において該更新されたコンテンツを入力する表示定義情報を受け付ける。この構成によって、分割された少なくとも１つの領域において、送信元のコンテンツが更新された場合、更新されたコンテンツを入力するので、該分割された領域において更新された番組コンテンツを表示させる情報映像化方法を提供できる。
【００５０】
また、請求項２１にかかる発明は、請求項１５〜２０のいずれか１つに記載の情報映像化方法において、前記表示受付工程は、前記表示定義情報に基づいて前記表示レイアウトおよびビデオ化形態に関する映像再生時間情報を取得するものであることを特徴とする。
【００５１】
この請求項２１にかかる発明によれば、表示受付工程は、表示定義情報に基づいて表示レイアウトおよびビデオ化形態に関する映像再生時間情報を取得する。この構成によって、表示定義情報から再生時間情報を取得して自動的に映像を再生させることが可能な番組コンテンツを表示させる情報映像化方法を提供できる。
【００５２】
また、請求項２２にかかる発明は、請求項１５〜２１のいずれか１つに記載の情報映像化方法において、前記番組受付工程において受け付けられた前記番組定義情報および前記表示受付工程において受け付けられた前記表示定義情報を記憶する記憶工程を、さらに含むことを特徴とする。
【００５３】
この請求項２２にかかる発明によれば、番組受付工程において受け付けられた番組定義情報および表示受付工程において受け付けられた表示定義情報を記憶する記憶工程を、さらに含む。この構成によって、記憶された番組定義情報および表示定義情報によって、同一の映像を自動的に再生させることが可能な番組コンテンツを表示させる情報映像化方法を提供できる。
【００５４】
また、請求項２３にかかる発明は、請求項１５〜２２のいずれか１つに記載の情報映像化方法において、表示される前記コンテンツの前記送信元であるＷｅｂサイト情報を含む送信元からの情報を、近距離無線により送信する送信工程を、さらに含むことを特徴とする。
【００５５】
この請求項２３にかかる発明によれば、表示されるコンテンツの送信元であるＷｅｂサイト情報を含む送信元からの情報を、近距離無線により送信する送信工程を、さらに含む。この構成によって、表示された画面を見る視聴者の携帯端末などに対して送信元からの情報を無線で受信させることができる情報映像化方法を提供できる。
【００５６】
また、請求項２４にかかる発明は、プログラムであって、請求項１５〜２３のいずれか１つに記載の情報映像化方法をコンピュータに実行させることを特徴とする。
【００５７】
この請求項２４にかかる発明によれば、請求項１５〜２３のいずれか１つに記載の情報映像化方法をコンピュータに実行させることができるプログラムを提供できる。
【００５８】
また、請求項２５にかかる発明は、映像および音声を含む放送コンテンツ、ならびにＷｅｂサイトのコンテンツを含むネットワーク上のコンテンツから番組コンテンツを生成して表示させる前記ネットワークに接続する情報映像化システムであって、前記コンテンツを送信する送信装置と、生成された前記番組コンテンツを表示する表示装置と、表示される前記番組コンテンツを生成する規則である番組定義情報を受け付ける番組受付装置と、前記番組受付装置によって受け付けられた番組定義情報に基づいて、前記ネットワーク上のコンテンツを前記送信装置から入力する情報入力装置と、前記情報入力装置が入力したコンテンツを、前記表示装置に表示する表示レイアウトおよび前記表示レイアウトにおけるビデオ化形態を定義する表示定義情報を受け付ける表示受付装置と、前記表示受付装置に受け付けられた前記表示定義情報に基づいて、該入力したコンテンツを、前記表示装置に表示させる表示制御装置と、を備えたことを特徴とする。
【００５９】
この請求項２５にかかる発明によれば、送信装置がコンテンツを送信し、表示装置が生成される番組コンテンツを表示し、番組受付装置が番組コンテンツを生成する規則である番組定義情報を受け付け、情報入力装置が番組定義情報に基づいてネットワーク上のコンテンツを送信装置から入力し、表示受付装置が入力したコンテンツを表示装置に表示する表示レイアウトおよび表示レイアウトにおけるビデオ化形態を定義する表示定義情報を受け付け、表示制御装置が表示定義情報に基づいてコンテンツを表示装置に表示させる。この構成によって、番組定義情報と表示定義情報に基づいて番組コンテンツを生成して表示装置に表示させることができるので、Ｗｅｂサイトのコンテンツおよび放送コンテンツを含むコンテンツを自動的に番組コンテンツとして表示装置に表示させることができる情報映像化システムを提供できる。また、番組映像としてインターネット上の映像を含むコンテンツをダウンロードして使用するので、表示する番組映像を豊富なものとし、かつ番組映像のコストを削減できる。
【発明の効果】
【００６０】
本発明（請求項１）にかかる情報映像化装置は、番組定義情報と表示定義情報に基づいて番組コンテンツを生成して表示手段に表示させることができるので、Ｗｅｂサイトのコンテンツおよび放送コンテンツを含むコンテンツを自動的に番組コンテンツとして表示手段に表示させることができるという効果を奏する。また、番組映像としてインターネット上の映像を含むコンテンツをダウンロードして使用するので、表示する番組映像を豊富なものとし、かつ番組映像のコストを削減できるという効果を奏する。
【００６１】
また、本発明（請求項２）にかかる情報映像化装置は、送信元のコンテンツが更新されている場合は、更新されたコンテンツを入力し、番組コンテンツを自動的に更新するので、自動的にコンテンツを更新して表示手段に表示させることができるという効果を奏する。
【００６２】
また、本発明（請求項３）にかかる情報映像化装置は、所定の時間間隔でアクセスして送信元のコンテンツが更新されている場合は更新して入力するので、常に最新のコンテンツを入力して番組コンテンツを自動的に更新するので、自動的に更新して最新のコンテンツを表示手段に表示させることができるという効果を奏する。
【００６３】
また、本発明（請求項４）にかかる情報映像化装置は、表示画面を時系列的に複数に分割してそれぞれレイアウトと形態を変化させるので、複数の領域において時系列的に自動的に番組コンテンツを表示手段に表示させることができるという効果を奏する。
【００６４】
また、本発明（請求項５）にかかる情報映像化装置は、表示画面を複数に分割してそれぞれレイアウトと形態を時系列的に変化させるので、複数の領域において自動的に時系列的に番組コンテンツを表示手段に表示させることができるという効果を奏する。
【００６５】
また、本発明（請求項６）にかかる情報映像化装置は、表示手段の表示画面の分割された少なくとも１つの領域において、送信元のコンテンツが更新された場合、更新されたコンテンツを入力するので、該分割された領域において更新された番組コンテンツを表示手段に表示させることができるという効果を奏する。
【００６６】
また、本発明（請求項７）にかかる情報映像化装置は、表示するコンテンツの番組および形態をファイル形式で読み込ませることができるので、番組内容および表示形態の自由度が大きい番組コンテンツを表示手段に表示させることができるという効果を奏する。
【００６７】
また、本発明（請求項８）にかかる情報映像化装置は、表示画面の複数の領域において、表示するコンテンツの形態をファイル形式で読み込ませることができるので、分割された領域においても番組内容および表示形態の自由度が大きい番組コンテンツを表示手段に表示させることができるという効果を奏する。
【００６８】
また、本発明（請求項９）にかかる情報映像化装置は、指示情報が付加され、通常のＨＴＭＬファイルによる記述よりも精確にビデオ表示の挙動を記述できるので、番組内容および表示形態の自由度が大きく精確な番組コンテンツを表示手段に表示させることができるという効果を奏する。
【００６９】
また、本発明（請求項１０）にかかる情報映像化装置は、送信元のＨＴＭＬファイルに指示情報が付加されていない場合は付加することにより、より精確にビデオ表示の挙動を記述できるので、番組内容および表示形態の自由度が大きく精確な番組コンテンツを表示手段に表示させることができるという効果を奏する。
【００７０】
また、本発明（請求項１１）にかかる情報映像化装置は、読み込んだファイル内容を分類し、指示情報を付加することにより、より精確にビデオ表示の挙動を記述できるので、番組内容および表示形態の自由度が大きく精確な番組コンテンツを表示手段に表示させることができるという効果を奏する。
【００７１】
また、本発明（請求項１２）にかかる情報映像化装置は、表示定義情報から再生時間情報を取得して自動的に映像を再生させることが可能な番組コンテンツを表示手段に表示させることができるという効果を奏する。
【００７２】
また、本発明（請求項１３）にかかる情報映像化装置は、記憶された番組定義情報および表示定義情報によって、同一の映像を自動的に再生させることが可能な番組コンテンツを表示手段に表示させることができるという効果を奏する。
【００７３】
また、本発明（請求項１４）にかかる情報映像化装置は、表示された画面を見る視聴者の携帯端末などに対して送信元からの情報を無線で受信させることができるという効果を奏する。
【００７４】
また、本発明（請求項１５）にかかる情報映像化方法は、番組定義情報と表示定義情報に基づいて番組コンテンツを生成して表示させることができるので、Ｗｅｂサイトのコンテンツおよび放送コンテンツを含むコンテンツを自動的に番組コンテンツとして表示させることができるという効果を奏する。また、番組映像としてインターネット上の映像を含むコンテンツをダウンロードして使用するので、表示する番組映像を豊富なものとし、かつ番組映像のコストを削減できるという効果を奏する。
【００７５】
また、本発明（請求項１６）にかかる情報映像化方法は、送信元のコンテンツが更新されている場合は、更新されたコンテンツを入力し、番組コンテンツを自動的に更新するので、自動的にコンテンツを更新して表示させることができるという効果を奏する。
【００７６】
また、本発明（請求項１７）にかかる情報映像化方法は、所定の時間間隔でアクセスして送信元のコンテンツが更新されている場合は更新して入力するので、常に最新のコンテンツを入力して番組コンテンツを自動的に更新するので、自動的に更新して最新のコンテンツを表示させることができるという効果を奏する。
【００７７】
また、本発明（請求項１８）にかかる情報映像化方法は、表示画面を時系列的に複数に分割してそれぞれレイアウトと形態を変化させるので、複数の領域において時系列的に自動的に番組コンテンツを表示させることができるという効果を奏する。
【００７８】
また、本発明（請求項１９）にかかる情報映像化方法は、表示画面を複数に分割してそれぞれレイアウトと形態を時系列的に変化させるので、複数の領域において自動的に時系列的に番組コンテンツを表示させることができるという効果を奏する。
【００７９】
また、本発明（請求項２０）にかかる情報映像化方法は、分割された少なくとも１つの領域において、送信元のコンテンツが更新された場合、更新されたコンテンツを入力するので、該分割された領域において更新された番組コンテンツを表示させることができるという効果を奏する。
【００８０】
また、本発明（請求項２１）にかかる情報映像化方法は、表示定義情報から再生時間情報を取得して自動的に映像を再生させることが可能な番組コンテンツを表示させることができるという効果を奏する。
【００８１】
また、本発明（請求項２２）にかかる情報映像化方法は、記憶された番組定義情報および表示定義情報によって、同一の映像を自動的に再生させることが可能な番組コンテンツを表示させることができるという効果を奏する。
【００８２】
また、本発明（請求項２３）にかかる情報映像化方法は、表示された画面を見る視聴者の携帯端末などに対して送信元からの情報を無線で受信させることができるという効果を奏する。
【００８３】
また、本発明（請求項２４）にかかるプログラムは、請求項１５〜２３のいずれか１つに記載の情報映像化方法をコンピュータに実行させることができるという効果を奏する。
【００８４】
また、本発明（請求項２５）にかかる情報映像化システムは、番組定義情報と表示定義情報に基づいて番組コンテンツを生成して表示装置に表示させることができるので、Ｗｅｂサイトのコンテンツおよび放送コンテンツを含むコンテンツを自動的に番組コンテンツとして表示装置に表示させることができるという効果を奏する。また、番組映像としてインターネット上の映像を含むコンテンツをダウンロードして使用するので、表示する番組映像を豊富なものとし、かつ番組映像のコストを削減できるという効果を奏する。
【発明を実施するための最良の形態】
【００８５】
以下に添付図面を参照して、この発明にかかる情報映像化装置、情報映像化方法、その方法をコンピュータに実行させるプログラム、および情報映像化システムの最良な実施の形態を詳細に説明する。
【００８６】
（１．実施の形態による情報映像化装置の構成）
図１は、実施の形態による情報映像化装置がネットワークに接続された情報映像化システムを説明する図である。ネットワーク１に接続された情報映像化装置１０は、アンテナ１１を介して地上波デジタル放送局３から放送される地上波デジタル放送番組を受信する。
【００８７】
情報映像化装置１０は、インターネット１上のＷｅｂサイトにアクセスして、ＨＴＭＬ（Ｈｙｐｅｒ  Ｔｅｘｔ  Ｍａｒｋｕｐ  Ｌａｎｇｕａｇｅ）ファイル３５、３６、３７をダウンロードする。また、情報映像化装置１０は、インターネット１に接続する映像化情報設定端末４０によって、表示すべき番組コンテンツを設定することができる。ただし、この映像化情報設定端末４０は、とくにシステムの端末として設けずに、情報映像化装置１０に配設されて情報を映像化する形であっても良い。
【００８８】
ここで情報映像化装置１０は、情報映像化端末４０によって設定されたＷｅｂサイトにアクセスし、更新された映像を含むファイル３５、３６、３７をダウンロードし、プラズマディスプレー５０に表示させる。情報映像化装置１０は、プラズマディスプレー５０における表示内容を時系列的に変更することによって、自動的に映像番組を生成する。
【００８９】
また、情報映像化装置１０は、情報映像化端末４０の設定によって、Ｗｅｂサイト以外であっても、一般の放送局および音声・映像出力装置から入力する音声・映像情報を含む入力情報を入力して、プラズマディスプレー５０に表示させることができる。
【００９０】
ここで情報映像化装置１０は、プラズマディスプレー５０の表示画面を複数の領域５１、５２、５３、５４に分割し、分割された複数の領域それぞれにおいて、Ｗｅｂサイトおよび放送局などの送信元を含む入力先を指定し、それぞれの領域に対して指定されたサイトおよび放送局などの送信元を含む入力先からのコンテンツを取得し、映像化して表示させる。図１においては、領域５１はＷｅｂサイトからダウンロードしたニュース映像３５ａを、領域５２はアンテナ３１を介して受信する地上波デジタル放送局３からのＴＶ放送番組を、領域５３はＷｅｂサイトからダウンロードした広告３６ａを、そして領域５４はＷｅｂサイトからダウンロードした天気予報の映像３７ａを表示する。
【００９１】
ここでは、ＴＶ放送局から放映されるコンテンツを受信して表示する実施例としたが、特にＴＶ番組などを受信せずに、他の入力装置から入力する方式とすることができる。
【００９２】
また、ＴＶ放送局から放映されるコンテンツ、および他の入力装置から入力することなく、単にＷｅｂサイトからのみ入力して表示する簡易な方式とすることもできる。
【００９３】
図２は、実施の形態による情報映像化装置によってディスプレーに表示された画面の一例を示す模式図である。図２に示された画面６０は、複数の領域に分割されて、見出し６１、人物の映像６２、世界各地の天候情報６３、および広告６４が表示されている。ここで各領域６１〜６４において表示された映像は、Ｗｅｂサイトを含む送信元ないしは入力先にアクセスしてダウンロードないしは入力したコンテンツである。
【００９４】
図３は、実施の形態による情報映像化装置の機能的ブロック図である。情報映像化装置１０は、ＴＶアンテナ１１、ＴＶチューナー１２、インターネット１に接続する送受信部１３、番組管理部１４、サイト解釈部１５、レイアウト解釈部１６、映像生成部１７、映像合成部１８、サイト情報生成部１９、映像出力部２０、赤外線（ＩＲ）出力部２１、および記憶部２２を備える。
【００９５】
ＴＶアンテナ１１は、地上波デジタル放送等の放送メディアを受信するアンテナ端子である。ＴＶチューナー１２は、ＴＶアンテナ１１で受信した放送メディアを再生する。ここでＴＶチューナー１２において、ＴＶアンテナ以外の映像・音声を入力する端子を設けて映像・音声および音声を受け付ける構成としても良い。
【００９６】
送受信部１３は、インターネット１を含むネットワークを介し、後述するビデオレイアウトビヘイビアパラメータ（ＶＬＢＰ＝Ｖｉｄｅｌ  Ｌａｙｏｕｔ  Ｂｅｈａｖｉｏｕｒ  Ｐａｒａｍｅｔｅｒ）で指定されたＷｅｂサイトへアクセスし、必要な情報を収集する。
【００９７】
番組管理部１４は、表示するプログラムのリストであるビデオプログラムリスト（ＶＰＬ、後述）に従い、参照するＶＬＢＰをスケジュールにあわせ切り替えるモジュールである。
【００９８】
サイト解釈部１５は、送受信部１３がアクセスしたサイトのＨＴＭＬにビデオスタイルシート（ＶＳＳ、後述）による定義が無い場合、映像化ルールに従ってＶＳＳを付加したＨＴＭＬを再構成するモジュールである。
【００９９】
レイアウト解釈部１６は、ＶＬＢＰに従って、レイアウトごとにサイト情報を解釈し、映像素材としての情報を準備するモジュールである。
【０１００】
映像生成部１７は、レイアウト解釈部１６が準備した映像素材を基に、それぞれの領域において表示する映像を生成するモジュールである。
【０１０１】
映像合成部１８は、複数の映像を１つの画面として合成し、ビデオ出力可能な信号に変換するモジュールである。
【０１０２】
サイト情報生成部１９は、再生されるサイト情報と音声情報とを発信可能な信号に変換するモジュールである。
【０１０３】
映像出力部２０は、映像合成部１８によって生成されたビデオ出力信号を出力し、例えばプラズマディスプレー５０に、生成されたビデオ信号を表示させる。
【０１０４】
ＩＲ出力部２１は、サイト情報生成部１９によって生成された発信可能な信号をＩＲ発信するモジュールである。ここでは、ＩＲ出力部２１は、ＩＲによる無線出力を行う端子であり、例えばプラズマディスプレー５０における広告画面５３に表示された広告に関する情報をＩＲ送信し、例えば携帯型電話機はＩＲ送信された情報を受信して広告情報を視聴あるいは記録することができる。
【０１０５】
記憶部２２は、ハードディスクドライブで構成されて、各種情報を格納する。特に、番組情報および属性情報を含む表示スタイルを定義する情報を格納する。
【０１０６】
ここで、ＴＶアンテナ１１、ＴＶチューナー１２、および送受信部１３は本発明の情報入力手段を構成する。番組管理部１４は本発明の番組受付手段を構成する。サイト解釈部１５およびレイアウト解釈部１６は、本発明の表示受付手段を構成する。映像生成部１７、映像合成部１８、および映像出力部２０は、本発明の表示制御手段を構成する。サイト情報生成部１９、および赤外線（ＩＲ）出力部２１は本発明の送信手段を構成する。記憶部２２は、本発明の記憶手段を構成する。
【０１０７】
ここで情報映像化装置１０がプラズマディスプレー５０に表示させる番組情報は、番組管理部１４が、ビデオレイアウトビヘイビアパラメータ（ＶＬＢＰ）で記述されたビデオプログラムリスト（ＶＰＬ）を読み込むことによって、設定される。
【０１０８】
ここでＶＬＢＰは、画面をどのような領域に分割し、それぞれの領域がどのサイトをアクセスし、どのように映像化を行うかを定義するパラメータである。このＶＬＢＰを用いたＶＰＬ（番組表）をあらかじめ番組管理部１４に受け付けさせておく。番組管理部１４は、受け付けたＶＬＢＰに従うＶＰＬによって、各サイトの映像化、即ち番組化を行う。
【０１０９】
番組管理部１４が読み込んだＶＰＬに基づいて送受信部１３は、Ｗｅｂサイトにアクセスし、ＨＴＭＬファイルあるいはＨＴＭＬファイルに対して属性情報が付加されたビデオスタイルシート（ＶＳＳ、後述）によるファイルを読み込む。ここで、ＶＳＳによる属性情報は、ＶＳＳによって映像化ルールを定義しているＷｅｂサイトからダウンロードされる。一般的なＷｅｂサイトは、ＨＴＭＬファイルによって表示が定義されており、この場合はＨＴＭＬファイルをダウンロードする。
【０１１０】
本発明の実施の形態では、表示画面の各領域でのビヘイビアを定義するビデオスタイルシート（ＶＳＳ＝Ｖｉｄｅｏ  Ｓｔｙｌｅ  Ｓｈｅａｔ、後述）を提案する。このＶＳＳに沿って記述されたＨＴＭＬファイルは、以下に例を挙げるように、通常のＨＴＭＬファイル以上に、より精密にビデオ化を行うことが可能となる。
【０１１１】
（ビデオレイアウトビヘイビアパラメータ（ＶＬＢＰ））
ビデオレイアウトビヘイビアパラメータ（ＶＬＢＰ）は、画面上の領域の指定と、それぞれの領域においてアクセスすべき対象サイトおよびビデオ化のためのパラメータ情報を定義したファイルである。
【０１１２】
ＶＬＢＰによって定義する項目の一例は、以下の通りである。
表示領域：ＴＶディスプレー上での表示領域を設定する。
アクセスサイト：各表示領域において表示する対象のサイトのＵＲＬを設定する。
サブ領域：表示領域内の階層的な領域（テキスト、映像、画像の表示領域）を設定する。
ビヘイビア：固定テキスト、スクロールテロップ、スライドショーなど、映像のビヘイビア（挙動）を設定する。
再生時間：再生時間長を設定する。
更新間隔：サイトへアクセスする間隔を設定する。
この更新間隔の時間によってアクセスされたサイトの情報が更新されていた場合、送受信部１３は更新されたサイト情報を入力して、表示内容を更新する。
【０１１３】
ここで以下にＶＬＢＰの一例を挙げる。
<Area x=0 y=0 w=400 h=200 href=http://www.A duration=00:10:00:00 int=01:00>
<headline x=0 y=0 w=200 h=100 behavior=fix />
<body x=0 y=100 w=400 h=100 behavior=scroll display=trans/>
<image x=200 y=0 w=300 h=200 behavior=slideshow />
</Area>
【０１１４】
上記の例では、領域をｘおよびｙの座標数値、および幅（ｗ）４００、高さ（ｈ）２００、参照するＵＲＬをｈｔｔｐ：／／ｗｗｗ．Ａ、表示期間を１０分、更新のためのアクセス間隔を１分と定義している。
【０１１５】
次に、見出し（ｈｅａｄ  ｌｉｎｅ）は幅を２００、高さを１００、ビヘイビアは固定（ｆｉｘ）と設定している。
【０１１６】
次に、本文（ｂｏｄｙ）は、幅を４００、高さを１００、ビヘイビアはスクロール、表示は透明（ｔｒａｎｓ）と定義している。
【０１１７】
また、画像（ｉｍａｇｅ）は、場所と大きさを定義した後、ビヘイビアは静止画が時間毎に移りかわるスライドショウ（ｓｌｉｄｅｓｈｏｗ）であると定義している。
【０１１８】
（ビデオスタイルシート（ＶＳＳ））
実施の形態による情報映像化装置が使用する映像化ルールについて説明する。ここでの映像化ルールは、ビデオスタイルシート（ＶＳＳ＝Ｖｉｄｅｏ  Ｓｔｙｌｅ  Ｓｈｅｅｔ）によって定義する。ＶＳＳとは、ＨＴＭＬファイル中でのビデオ化に必要な情報属性（ビデオ化属性情報）を付加したスタイルシートのことであり、ＨＴＭＬよりも詳細にビデオ化を可能にするためのものである。
【０１１９】
レイアウト解釈部１６は、ＶＳＳを用いたビデオ化属性情報が付加されたＨＴＭＬファイルを読み込んで、ビデオ化処理を施す。ＶＳＳを用いていない通常のＨＴＭＬを受信した場合、サイト解釈部１５がＨＴＭＬの構造を解釈して情報分類を行い、解釈と情報分類に従って対象となるＨＴＭＬファイルに対してＶＳＳを付加したＨＴＭＬファイルを生成する。レイアウト解釈部１６は、こうしてサイト解釈部１５によってＶＳＳが付加されたＨＴＭＬファイルを解釈する。但し、サイト解釈部１５によってもＶＳＳが付加されないＨＴＭＬファイルに対しては、レイアウト解釈部１６はＨＴＭＬファイルをそのままＨＴＭＬファイルとして解釈する。
【０１２０】
レイアウト解釈部１６は、ＶＳＳを付加されたＨＴＭＬファイルを、ＨＴＭＬおよび付加されたＶＳＳの指示に従い、かつＶＬＢＰの指示に従ってビデオ化処理を施す。ＶＳＳによって定義される項目は、例えば、見出し、本文、画像、映像、および音声を含む。
【０１２１】
以下は、ＶＳＳの一例である。
＜例＞
<html>
<head>
<link rel="stylesheet" type="text/vss" />
<title vss:type=headline >2004 New Year's Message</title>
<H1 vss:type=body vss:order=1> Hello </H1>
<img src="./image/0001.jpg" vss:type=image vss:order=1 />
<img src="./image/0001.jpg" vss:type=image vss:order=2 />
</html>
【０１２２】
ここで、タイトルに関しては、上記ｖｓｓ：以下の「ｖｓｓ：ｔｙｐｅ＝ｈｅａｄｌｉｎｅ  ＞２００４  Ｎｅｗ  Ｙｅａｒ’ｓ  Ｍｅｓｓａｇｅ＜／ｔｉｔｌｅ」の表記によって、ビデオ映像の上に「２００４  Ｎｅｗ  Ｙｅａｒ’ｓ  Ｍｅｓｓａｇｅ」と表示されることになる。
【０１２３】
画像については、ファイル名「ｉｍａｇｅ／０００１．ｊｐｇ」の画像がｖｓｓ表記によって「ｖｓｓ：ｔｙｐｅ＝ｉｍａｇｅ  ｖｓｓ：ｏｒｄｅｒ＝１  ／＞」と記されて、番号１番として表示される。
【０１２４】
ここで、本実施の形態によるＶＬＢＰを設定するためのレイアウト・ビヘイビアパラメータ設定エディターを使用することが好ましい。レイアウト・ビヘイビアパラメータ設定エディターは、ＶＬＢＰを定義するためのグラフィックエディターで、領域設定やビヘイビアの定義をビジュアルに行うためのソフトウェアである。
【０１２５】
（ビデオプログラムリスト（ＶＰＬ））
ビデオプログラムリスト（ＶＰＬ＝Ｖｉｄｅｏ  Ｐｒｏｇｒａｍ  ｌｉｓｔ）  とは、ＶＬＢＰのリストから構成される番組情報によって、画面レイアウトの変更、アクセスサイトの変更、ビデオ化パラメータの変更を動的に行わせる番組制御リストである。番組は、このＶＰＬ（ビデオプログラムリスト）の記述によって制御される。以下はビデオプログラムリストの一例である。
【０１２６】
<VPL0001>
<Period start=2004-1-1 end=2004-3-31 mode=daily>
<Daily>
<Program start=06:00 end=10:00      vlbp=Program1.vlbp />    // 朝の番組
<Program start=10:00 end=16:00      vlbp=Program2.vlbp />    // 昼の番組
<Program start=16:00 end=21:00      vlbp=Program1.vlbp />    / 夕方の番組
<Program start=21:00 end=06:00      vlbp=Program3.vlbp />    / 夜の番組
</Daily>
</Period>
【０１２７】
上記のＰｅｒｉｏｄで定義される期間は「ｓｔａｒｔ＝２００４−１−１  ｅｎｄ＝２００４−３−３１」で定義され、記述されたように２００４年１月１日から３月３１日までである。毎日のプログラムは、６時から１０時まではｖｌｂｐによるＰｒｏｇｒａｍ１を採用する。これは朝の番組である。同様に、１０時から１６時まではＰｒｏｇｒａｍ２で表記される昼の番組を、１６時から２１時まではＰｒｏｇｒａｍ１で表記される夕方の番組を、そして２１時から翌６時まではＰｒｏｇｒａｍ３で表記される夜の番組を採用する。
【０１２８】
赤外線（ＩＲ）出力２１は、プラズマディスプレー５０の画面に表示されているサイトのＵＲＬ情報および再生中の音声情報を含む情報を、画面の近くにある携帯端末等に送信するための無線発信機である。ここで、本発明における送信手段は、赤外線出力には限定しない。
【０１２９】
ＩＲ出力部２１を使用することによって、例えば画面を見ている視聴者が、画面に興味を持って事故の情報端末から該サイトにアクセスしたい場合にも、煩雑なＵＲＬの入力を必要とせず、出力された赤外線による情報を、赤外線受信装置付きの携帯型電話機に受信させることによって記録できる。
【０１３０】
（２．実施の形態による情報映像化手順）
図４は、実施の形態による情報映像化手順を説明する図である。番組管理部１４は、番組を制御するファイルであるビデオプログラムリスト（ＶＰＬ）を受信したか否かを検出し（ステップＳ１０１）、検出しない場合はそのまま検出動作を継続し（ステップＳ１０１のＮｏ）、検出した場合（ステップＳ１０１のＹｅｓ）、番組管理部１４は、受信したＶＰＬを読み込んで記述内容を抽出する（ステップＳ１０２）。送受信部１３は、ＶＰＬ中の画面定義ファイル（ＶＬＢＰ）に定義されたサイトへアクセスする（ステップＳ１０３）。
【０１３１】
番組管理部１４は、アクセスしたサイトにおいて、ダウンロードすべきファイルにＶＳＳ記述があるか否かを判定し（ステップＳ１０４）、ＶＳＳ記述が無いと判定した場合（ステップＳ１０４のＮｏ）、サイト解釈部１５は、ファイルにＶＳＳを付加して記述し（ステップＳ１０６）、ステップＳ１０５に進む。一方、ＶＳＳ記述があると判定した場合（ステップＳ１０４のＹｅｓ）、レイアウト解釈部１６は、ＶＳＳを解釈してレイアウト構成を設定する（ステップＳ１０５）。送受信部１３は、レイアウト解釈部１６によって必要と判断されたコンテンツをダウンロードする（ステップＳ１０７）。
【０１３２】
ここで、ＴＶアンテナ１１がＴＶ信号を受信する場合（ステップＳ１０９のＹｅｓ）、ＴＶチューナー１２は受信した放送メディアを再生し（ステップＳ１１０）、ステップＳ１０８に進む。ＴＶアンテナ１１がＴＶ信号を受信しない場合は（ステップＳ１０９のＮｏ）、そのまま検出動作を継続する。
【０１３３】
映像生成部１７は、ダウンロードされたファイルおよびＴＶチューナー１２によって再生されるメディアがある場合は、ＶＳＳに従って映像化する（ステップＳ１０８）。映像合成部１８は、映像化された複数の映像を合成する（ステップＳ１１１）。
【０１３４】
レイアウト解釈部１６は、発信すべきサイト情報があるか否かを判定し（ステップＳ１１２）、発信すべきサイト情報がない場合（ステップＳ１１２のＮｏ）、ステップＳ１１３に移行する。発信すべきサイト情報がある場合（ステップＳ１１２のＹｅｓ）、サイト情報生成部１９は表示コンテンツのＵＲＬ情報を生成し（ステップＳ１１４）、ＩＲ出力部は、表示コンテンツのＵＲＬ情報を発信し（ステップＳ１１５）、ステップＳ１１３に移行する。映像出力部２０は、合成された映像をディスプレーに出力させる（ステップＳ１１３）。
【０１３５】
（３．効果）
実施の形態による情報映像化装置によれば、番組管理部１４が番組コンテンツ生成規則であるビデオプログラムリストを受け付け、受け付けられたビデオプログラムリストに基づいて送受信部１３がネットワーク１上のコンテンツを送信元から入力し、サイト解釈部１５がサイト情報を解釈し、レイアウト解釈部１６が入力したコンテンツを表示する表示レイアウトおよび表示レイアウトにおけるビデオ化形態を定義する表示定義情報であるビデオレイアウトビヘイビアパラメータで記述したファイルを受け付け、ビデオレイアウトビヘイビアパラメータに基づいて映像合成部１８がプラズマディスプレー５０に表示させる。この構成によって、番組定義情報と表示定義情報に基づいて番組コンテンツを生成してプラズマディスプレー５０に表示させることができるので、Ｗｅｂサイトのコンテンツおよび放送コンテンツを含むコンテンツを自動的に番組コンテンツとしてプラズマディスプレー５０に表示させることができる。
【０１３６】
また、プラズマディスプレー５０に表示する番組映像としてインターネット上の映像を含むコンテンツをダウンロードして使用するので、表示する番組映像を豊富なものとし、かつ番組映像のコストを削減できる。
【０１３７】
（４．実施の形態による情報映像化装置を広告映像自動生成システムに適用する例）
実施の形態による情報映像化装置は、地下鉄の駅構内における広告映像自動生成システムに適用できる。
【０１３８】
図５は、実施の形態による情報映像化装置を、地下鉄の駅構内における広告映像自動生成システムに適用した説明図である。駅構内４は、各プラズマディスプレー５０ａ〜５０ｄの設置場所を提供する。広告映像自動生成システムの表示装置として、プラズマディスプレー５０ａ〜５０ｄを使用する。
【０１３９】
ここで、実施の形態による情報映像化装置は、図中、ネットワーク１および１ａに接続する情報映像化装置１０ａ〜１０ｄである。情報映像化装置１０ａ〜１０ｄは、プラズマディスプレー５０ａ〜５０ｄに接続する。
【０１４０】
広告管理センタ８０は、広告を受け付ける。広告番組作成端末８１は、番組情報を受け付けて各情報映像化装置１０ａ〜１０ｄへの番組編集を行う。情報映像化装置１０ａ〜１０ｄに対して番組情報を送信するのは、広告管理センタ８０内の広告番組作成端末８１である。広告番組作成端末８１は、Ａ番組情報ＶＰＬ８２、Ｂ番組情報ＶＰＬ８３、Ｃ番組情報ＶＰＬ８４、およびＤ番組情報ＶＰＬ８５を読み込んで、インターネット１およびイーサネット（Ｒ）１ａを介して、情報映像化装置１０ａ〜１０ｄに送信する。
【０１４１】
各情報映像化装置１０ａ〜１０ｄは、広告管理センタ８０の広告番組作成端末８１から送付された番組情報であるＶＰＬ８２〜８５を受信し、受信したＶＰＬ８２〜８５を解釈して、インターネットから情報を収集し映像化を行い、各プラズマディスプレー５０ａ〜５０ｄに広告映像を再生させる。
【０１４２】
視聴者は、プラズマディスプレー５０ａ〜５０ｄの前では、近距離無線によって発信される情報を携帯電話７０〜７３で受信することによって、その時間の広告に関するサイト情報等を入手することができる。
【０１４３】
ここで、プラズマディスプレー５０ａ〜５０ｄに表示される番組は、広告管理センタ８０で採用する番組情報ＶＰＬによって、時間帯にあわせて、通勤時間はビジネス向け情報、昼間はショッピング情報等と乗降客の状況に合わせてコンテンツを選択して提供できる。
【０１４４】
実施の形態による情報映像化装置は、自動的にＷｅｂサイトにアクセスして更新された映像を含むコンテンツをダウンロードして表示し、かつ表示内容を時系列的に変更することによって、自動的に映像番組を生成して、例えばプラズマディスプレーの表示画面に表示させる。
【０１４５】
また、実施の形態による情報映像化装置は、表示装置の表示画面を複数の領域に分割し、分割された複数の領域それぞれにおいて、Ｗｅｂサイトおよび放送番組を含む送信元を指定し、それぞれの領域に対して指定されたサイトの情報および放送番組を含むコンテンツを取得し、自動的に時系列的に映像化して表示させることができる。
【０１４６】
（５．ハードウェア構成および記録媒体）
図６は、実施の形態による情報映像化装置のハードウェア構成例を示す図である。上述した情報映像化装置は、あらかじめ用意されたプログラムをパーソナルコンピュータ、ワークステーション、あるいはマイクロコンピュータなどのコンピュータシステムで実行することによって実現できる。コンピュータ１００は、ＣＰＵ（Ｃｅｎｔｒａｌ  Ｐｒｏｃｅｓｓｉｎｇ  Ｕｎｉｔ）１０１によって装置全体が制御されている。ＣＰＵ１０１には、バス１０７を介してＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ハードディスクドライブ（ＨＤＤ：Ｈａｒｄ  Ｄｉｓｋ  Ｄｒｉｖｅ）１０４、グラフィック処理装置１０５、入力インタフェース１０６、および通信装置１０８が接続されている。ＲＯＭ１０２、およびＲＡＭ１０３には、ＣＰＵ１０１に実行させるＯＳ（Ｏｐｅｒａｔｉｎｇ  Ｓｙｓｔｅｍ）のプログラムやアプリケーションプログラムの少なくとも一部が格納される。またＲＡＭ１０３には、ＣＰＵ１０１による処理に必要な各種データが格納される。ＨＤＤ１０４には、ＯＳ、各種ドライバプログラム、アプリケーションプログラム、検出されたデータなどが格納される。
【０１４７】
グラフィック処理装置１０５には、モニタ１１１が接続されている。グラフィック処理装置１０５は、ＣＰＵ１０１からの命令に従って、画像をモニタ１１１の画面に表示させる。入力インタフェース１０６には、キーボード１１２とマウス１１３とが接続されている。入力インタフェース１０６は、キーボード１１２やマウス１１３から送られてくる信号を、バス１０７を介してＣＰＵ１０１に送信する。
【０１４８】
以上のようなハードウェア構成によって、本実施の形態の処理機能を実現することができる。本実施の形態をコンピュータ１００上で実現するには、コンピュータ１００にドライバプログラムを実装する。
【０１４９】
尚、本実施の形態の情報映像化装置で実行される情報映像化プログラムは、インストール可能な形式又は実行可能な形式のファイルでＣＤ−ＲＯＭ、フロッピー（Ｒ）ディスク、ＤＶＤ等のコンピュータで読み取り可能な記録媒体に記録されて提供される。
【０１５０】
また、本実施形態の情報映像化プログラムを、インターネット等のネットワークに接続されたコンピュータ上に格納し、ネットワーク経由でダウンロードさせることにより提供および配布するように構成しても良い。
【産業上の利用可能性】
【０１５１】
以上のように、本発明にかかる情報映像化装置、情報映像化方法、その方法をコンピュータに実行させるプログラム、および情報映像化システムは、情報を取得して映像化する情報映像化技術に有用であり、特に、インターネット上のサイトあるいは放送元からのコンテンツを自動的に検索して入力し表示する情報映像化技術に適している。
【図面の簡単な説明】
【０１５２】
【図１】実施の形態による情報映像化装置がネットワークに接続された情報映像化システムを説明する図である。
【図２】実施の形態による情報映像化装置によってディスプレーに表示された画面の一例を示す模式図である。
【図３】実施の形態による情報映像化装置の機能的ブロック図である。
【図４】実施の形態による情報映像化手順を説明する図である。
【図５】実施の形態による情報映像化装置を、地下鉄の駅構内における広告映像自動生成システムに適用した説明図である。
【図６】実施の形態による情報映像化装置のハードウェア構成例を示す図である。
【符号の説明】
【０１５３】
１  ネットワーク
３  地上波デジタル放送局
１０、１０ａ〜１０ｄ  情報映像化装置
１１  ＴＶアンテナ
１２  ＴＶチューナー
１３  送受信部
１４  番組管理部
１５  サイト解釈部
１６  レイアウト解釈部
１７  映像生成部
１８  映像合成部
１９  サイト情報生成部
２０  映像出力部
２１  ＩＲ出力部
２２  記憶部
４０  映像化情報設定端末
５０、５０ａ〜５０ｄ  プラズマディスプレー
８０  広告管理センタ
【図１】
2005236851.tif 000003
【図２】
2005236851.tif 000004
【図３】
2005236851.tif 000005
【図４】
2005236851.tif 000006
【図５】
2005236851.tif 000007
【図６】
2005236851.tif 000008